(57)【特許請求の範囲】
【請求項１】
洋風便器の後部上面に設置される便器上面設備であって、
該洋風便器に固定されるベースプレートを有する便器上面設備において、
該ベースプレートに、便器左右方向に延在する補強材を設けた便器上面設備であって、
更に、前記洋風便器の後部上面に固定される取付部材を備えており、
前記ベースプレートの前縁部が該取付部材に対して連結されており、
該ベースプレートの前縁部に前記補強材が設けられていることを特徴とする便器上面設備。
【請求項２】
請求項１において、前記補強材は該ベースプレートに重なる板状であり、
該補強材及び該ベースプレートの左右両端側が、前記取付部材に係止されていることを特徴とする便器上面設備。
【請求項３】
請求項２において、該ベースプレートの左右両端側に、該ベースプレート及び前記補強材を上下に貫く開口が設けられており、
前記取付部材には、該開口に係合した係止片が設けられていることを特徴とする便器上面設備。
【請求項４】
請求項２又は３において、該補強材は前記ベースプレートの下面に固着されていることを特徴とする便器上面設備。
【請求項５】
洋風便器の後部上面に設置される便器上面設備であって、
該洋風便器に固定されるベースプレートを有する便器上面設備において、
該ベースプレートに、便器左右方向に延在する補強材を設けた便器上面設備であって、
前記ベースプレートは、該洋風便器に固定されるリヤベースプレートと、該リヤベースプレートの前部側に配置された昇降可能なフロントベースプレートとを備えており、
該リヤベースプレートに前記補強材が設けられており、
該リヤベースプレートに、該フロントベースプレートを昇降させる昇降装置が設置されていることを特徴とする便器上面設備。
【請求項６】
請求項５において、該昇降装置は、前記補強材の近傍又は上側領域に配置されていることを特徴とする便器上面設備。
【発明の詳細な説明】
【技術分野】
【０００１】
本発明は、洋風便器の後部上面に設置される便座ボックス、タンクカバー等の便器上面設備に係り、詳しくは昇降式（浮上式）の便器上面設備に適用するのに好適な便器上面設備に関する。
【背景技術】
【０００２】
洋風便器の上面に設置された便座ボックスあるいはタンクカバーなどの便器上面設備に便座を俯仰方向に回動可能に取り付けた便器設備が周知である。この便器上面設備の底面はベースプレートにて構成されており、ベースプレートの上に種々の機器が設置されている。
【０００３】
この便座ボックス等と洋風便器上面との間に尿などの汚れが染み込んで臭気の原因となり易い。そこで、便座ボックス等の少なくとも前部を洋風便器に対し上下動可能とし、洋風便器の清掃時に便座ボックスを便座と共に上方に移動（浮上）させるようにしたものが提案されている。
【０００４】
例えば、特開２００４−３２４１６８号公報には、フロントベースプレートを昇降可能とした便座ボックスが記載されている。また、特開２００４−９７３９２号公報には、フロントベースプレートを昇降可能としたロータンクカバーが記載されている。
【０００５】
これらの便器上面設備にあっては、リヤベースプレートに浮上ユニットと通称される昇降用の駆動装置が設置されている。
【特許文献１】特開２００４−３２４１６８
【特許文献２】特開２００４−９７３９２
【発明の開示】
【発明が解決しようとする課題】
【０００６】
便器上面設備のベースプレートは、通常の場合、合成樹脂の板状成形体よりなる。このような合成樹脂の板状成形体よりなるベースプレートは、成形時の残留歪などによって反りが生じることがある。
【０００７】
また、ベースプレートの上には種々の機器が設置されるため、工場で製作されてから現場（トイレルーム）で便器に取り付けられるまでの間に機器の重量によってベースプレートが反ってしまい、便器への取り付けに支障となることがある。特に浮上式の便器上面設備の場合、リヤベースプレートには重量の大きな浮上ユニットが設置されるところから、反りが生じ易い。
【０００８】
ベースプレートの反りを防止するために、ベースプレートの厚みを大きくしたり、リブを設けたりすることも考えられるが、樹脂材料コストや金型コストが増加したり、便器上面設備の高さが大きくなったりすることがある。
【０００９】
本発明は、このようなベースプレートの反り等の変形が防止される便器上面設備を提供することを目的とする。
【課題を解決するための手段】
【００１１】
請求項１の便器上面設備は、洋風便器の後部上面に設置される便器上面設備であって、該洋風便器に固定されるベースプレートを有する便器上面設備において、該ベースプレートに、便器左右方向に延在する補強材を設けた便器上面設備であって、更に、前記洋風便器の後部上面に固定される取付部材を備えており、前記ベースプレートの前縁部が該取付部材に対して連結されており、該ベースプレートの前縁部に前記補強材が設けられていることを特徴とするものである。
【００１２】
請求項２の便器上面設備は、請求項１において、前記補強材は該ベースプレートに重なる板状であり、該補強材及び該ベースプレートの左右両端側が、前記取付部材に係止されていることを特徴とするものである。
【００１３】
請求項３の便器上面設備は、請求項２において、該ベースプレートの左右両端側に、該ベースプレート及び前記補強材を上下に貫く開口が設けられており、前記取付部材には、該開口に係合した係止片が設けられていることを特徴とするものである。
【００１４】
請求項４の便器上面設備は、請求項２又は３において、該補強材は前記ベースプレートの下面に固着されていることを特徴とするものである。
【００１５】
請求項５の便器上面設備は、洋風便器の後部上面に設置される便器上面設備であって、該洋風便器に固定されるベースプレートを有する便器上面設備において、該ベースプレートに、便器左右方向に延在する補強材を設けた便器上面設備であって、前記ベースプレートは、該洋風便器に固定されるリヤベースプレートと、該リヤベースプレートの前部側に配置された昇降可能なフロントベースプレートとを備えており、該リヤベースプレートに前記補強材が設けられており、該リヤベースプレートに、該フロントベースプレートを昇降させる昇降装置が設置されていることを特徴とするものである。
【００１６】
請求項６の便器上面設備は、請求項５において、該昇降装置は、前記補強材の近傍又は上側領域に配置されていることを特徴とするものである。
【発明の効果】
【００１７】
本発明の便器上面設備では、ベースプレートに補強材を設けているので、ベースプレートの反り等の変形が防止される。このため、ベースプレートの便器への取り付け作業を容易に行うことができる。
また、樹脂材料コストや金型コスト等の成形コストの増大がないと共に、便器上面設備の高さが徒に大きくなることもない。
【００１８】
請求項１の便器上面設備によると、洋風便器の後部上面に固定される取付部材にベースプレートの前縁部が連結されている。この前縁部に補強材が設けられているので、ベースプレート前縁部及びその近傍におけるベースプレートの反り等の変形が防止され、ベースプレートの該取付部材への連結を容易に行うことができる。
【００１９】
請求項２の便器上面設備にあっては、補強材及びベースプレートの左右両端側を取付部材に係止させるので、ベースプレートの該取付部材への取り付けが堅固なものとなる。
【００２０】
請求項３の便器上面設備によると、ベースプレート及び補強材の開口に取付部材の係止片を係合させることによりベースプレートを該取付部材に容易に連結することができる。
【００２１】
請求項４の便器上面設備によると、ベースプレートの上面側に機器を補強材との干渉なしに設置することができるので、機器の配置自由度が高いものとなる。
【００２２】
請求項５の便器上面設備によると、昇降装置が設置されるリヤベースプレートの反りが防止される。
【００２３】
請求項６の便器上面設備によると、昇降装置を補強材の近傍又は上面に配置しているので、昇降装置の重量が大きい場合であってもリヤベースプレートの変形が防止される。
【発明を実施するための最良の形態】
【００２４】
以下、図面を参照して実施の形態について説明する。第１図は実施の形態に係る便器上面設備を備えた洋風便器の側面図であり、（ａ）図はフロントベースプレートの浮上前、（ｂ）図はフロントベースプレートの浮上後の状態を示している。第２図は、この便器上面設備の分解斜視図、第３図は昇降装置付近の斜視図である。第４図はリヤベースプレートの平面図、第５図はリヤベースプレートの底面図である。
【００２５】
便鉢１ａを有する陶器製の洋風便器１の後部上面に便座ボックス１０が設置されており、この便座ボックス１０に便座２及び便蓋３が起倒方向回動自在に取り付けられている。
【００２６】
この実施の形態では、第２図の通り、洋風便器１の後部に開放口１ｂが設けられている。また、この洋風便器１の最後部の上面の左右両端部にそれぞれボルト挿通孔１ｃが設けられている。洋風便器１の後面には給水ホースを引き込むための孔１ｄが設けられている。
【００２７】
洋風便器１の開放口１ｂと便鉢１ａとの間の平面部１ｅに取付部材４が設置され、ボルト５によって洋風便器１に固定されている。該取付部材４の後部側は、開放口１ｂ上に張り出ている。
【００２８】
該取付部材４の前縁部の左右両端側には、リヤベースプレート２０を係止する係止片４ａが設けられている。この係止片４ａは、取付部材４から起立し、前方へ延出する逆Ｌ字形状である。
【００２９】
この実施の形態では、便座ボックス１０は、該取付部材４を介して便器１に固定されたリヤベースプレート２０と、このリヤベースプレート２０の前部側に配置された昇降可能なフロントベースプレート４０と、該フロントベースプレート４０と共に昇降する無底箱状の合成樹脂製のカバーケース５０とによって外殻が形成されている。
【００３０】
リヤベースプレート２０には、昇降装置３０のほか、温水洗浄ノズル４２へ温水を供給するためのヒータ付き温水タンク、ヒータ及び電動ファンよりなる部屋暖房ファン、電源基板、制御回路基板、便鉢やトラップ部へ水を供給するためのバルブユニット等が設けられている。
【００３１】
リヤベースプレート２０は、合成樹脂製の板状部材であり、開放口１ｂを覆う大きさを有する。このリヤベースプレート２０は、便座ボックス１０の底面の主要部（前縁側を除く部分）を構成する大きさを有している。
【００３２】
このリヤベースプレート２０の前縁部の下面に鋼などの金属製の補強材２１が取り付けられている。この実施の形態では、補強材２１は、リヤベースプレート２０の左端近傍から右端近傍まで延在する板状であり、ビス２２（第５図）によってリヤベースプレート２０に固着されている。
【００３３】
リヤベースプレート２０及び補強材２１の左右両端側には、これらを上下に貫く開口２３が設けられている。リヤベースプレート２０の後部の左右両端部にはボルト挿通孔２４が設けられている。
【００３４】
開口２３に取付部材４の係止片４ａが差し込まれるように補強材付きリヤベースプレート２０を洋風便器１の後部上面に載置し、リヤベースプレート２０を若干後方にスライドさせると、Ｌ字形の係止片４ａが開口２３の前縁に係合すると共に、リヤベースプレート２０のボルト挿通孔２４が洋風便器１の後縁の左右両端部のボルト挿通孔１ｃと重なり合う。これらのボルト挿通孔２４，１ｃにボルト（図示略）を通してナットを締め込むことにより、リヤベースプレート２０が洋風便器１に固定される。
【００３５】
なお、リヤベースプレート２０には、給水ホース等を引き通すための切込状の透口部２６が設けられている。
【００３６】
このリヤベースプレート２０上に昇降装置３０が設置されている。第３図に明示の通り、この昇降装置３０は、リヤベースプレート２０に固定された固定プレート３１と、該固定プレート３１上に設置された昇降用の駆動装置３２と、該駆動装置３２によって昇降される可動プレート３３と、可動プレート３３の昇降を案内すると共に、可動プレート３３の下降速度を緩速にするためのダンパ３４等を備えている。
【００３７】
駆動装置３２は、図示は省略するが、上下方向に延設されたラックと、該ラックに噛合するピニオンと、該ピニオンを回転させるモータとを有する。モータは固定プレート３１に設けられてもよく、可動プレート３３に設けられてもよい。
【００３８】
この駆動装置３２は、温水洗浄装置用リモコン（図示略）に設けられた昇降スイッチを操作することにより動作する。
【００３９】
なお、固定プレート３１は左右方向に延在する平板状であり、その前縁は補強材２１の後端の上方か、又はそれよりも若干後方に位置している。ただし、固定プレート３１の前縁が補強材２１の上方に位置してもよい。
【００４０】
ダンパ３４は、固定プレート３１に固定されたシリンダ３４ａと、該シリンダ３４ａ内のピストン（図示略）と、該ピストンに連なり、シリンダ３４ａから上方に進退可能に突設されたピストンロッド３４ｂとを有するオイルダンパである。ピストンロッド３４ｂの上端に可動プレート３３のＬ字形立上片３３ａが取り付けられている。可動プレート３３には、複数個の雌ねじ孔３５が設けられている。
【００４１】
フロントベースプレート４０は、合成樹脂製の板状部材であり、便座ボックス１０の底面のうち前縁側を構成するものである。このフロントベースプレート４０は、その後縁側がリヤベースプレート２０の前縁側の上方に位置する。フロントベースプレート４０の前縁側は、リヤベースプレート２０の前縁から所定長さ（例えば５０〜１００ｍｍ程度）前方に延出し、その前端がカバーケース５０の前縁と合致するよう構成されている。
【００４２】
このフロントベースプレート４０には、人体臀部を温水で洗浄するための温水洗浄ノズル４２のほか、図示は省略するが、モータ駆動式温水切替弁装置や、便座２及び便蓋３を開閉させる電動開閉ユニット、人体臀部に向けて温風を吹き出してその乾燥を行う温風ファン、便鉢内から臭気を含んだ空気を吸引して脱臭する脱臭ファン及び脱臭カートリッジ等が設けられている。
【００４３】
このフロントベースプレート４０の後部が前記可動プレート３３上に載置され、ボルト又はビス４６がフロントベースプレート４０のボルト挿通孔４１を通して雌ねじ孔３５にねじ込まれることによりフロントベースプレート４０が可動プレート３３に固定される。
【００４４】
前記カバーケース５０は、下側のメインカバー部５１と、該メインカバー部５１に着脱可能に装着されたトップカバー部５２とからなる。メインカバー部５１がフロントベースプレート４０に取り付けられている。
【００４５】
便座ボックス１０を洋風便器１に取り付けるには、まず取付部材４を第２図の如く洋風便器１にボルト５によって取り付けておく。次いで、リヤベースプレート２０、フロントベースプレート４０及びメインカバー部５１が一体となった便座ボックス１０の本体部分を該取付部材４上に載せ、前述の通り、開口２３の前縁部に係止片４ａを係合させると共に、ボルト挿通孔２４，１ｃにボルト（図示略）を通して、該ボルトにナット（図示略）を締め込み、便座ボックス１０の本体部分を洋風便器１に固定する。次いで、メインカバー部５１にトップカバー部５２を装着する。
【００４６】
このように構成された便座ボックス１０を有する洋風便器設備において、リモコンの浮上スイッチを操作すると、駆動装置３２のモータが正転し、第１図（ｂ）の如くフロントベースプレート４０及びカバーケース５０が上昇する。これにより、便座ボックス１０で覆われていた洋風便器平面部１ｅが露出するので、この平面部１ｅを念入りに掃除することができる。
【００４７】
リモコンの下降スイッチを操作すると、駆動装置３２のモータが逆転し、フロントベースプレート４０及びカバーケース５０が第１図（ａ）の如く洋風便器１上に降下した着底状態となる。
【００４８】
この便座ボックス１０では、リヤベースプレート２０の前縁部に補強材２１を設けているので、リヤベースプレート２０の前縁部の反り等の変形が防止される。このため、便座ボックス１０を取付部材４に取り付けるべく便座ボックス１０の本体部を取付部材４上に載せたときにリヤベースプレート２０の前縁部が取付部材４に全面的に密着するように重なる。このため、係止片４ａをスムーズに開口２３に差し込み、便座ボックス１０の本体部と取付部材４とを連結することができる。従って、便座ボックス１０の据え付け作業を容易に行うことができる。
【００４９】
この実施の形態にあっては、補強材２１及びリヤベースプレート２０の左右両端側の開口２３を取付部材４の係止片４ａに係止させるので、リヤベースプレート２０の取付部材４への取り付けが堅固なものとなる。
【００５０】
また、この実施の形態によると、リヤベースプレート２０及び補強材２１の開口２３に取付部材４のＬ字形の係止片４ａを係合させることにより、リヤベースプレート２０を取付部材４に容易に取り付けることができる。
【００５１】
この実施の形態では、補強材２１をリヤベースプレート２０の下面側に取り付けているので、リヤベースプレート２０の上面側に機器を補強材２１との干渉なしに設置することができる。そのため、機器の配置自由度が高い。
【００５２】
さらに、この実施の形態によると、昇降装置３０を補強材２１の近傍領域に配置しているので、昇降装置３０の重量が大きい場合であってもリヤベースプレート２０の変形が防止される。
【００５３】
上記実施の形態は本発明の一例であり、本発明は図示以外の形態とされてもよい。例えば、上記実施の形態では、フロントベースプレート４０は昇降装置３０によって昇降するよう構成されているが、手動によって昇降するよう構成されてもよい。
【００５４】
上記実施の形態では、ベースプレートがリヤベースプレートとフロントベースプレートとで構成されているが、本発明では、ベースプレートが１枚のみで構成されてもよい。また、ベースプレートは昇降式でなくてもよい。
【００５５】
上記実施の形態では便器上面設備は便座ボックスであるが、タンクカバーであってもよい。便座ボックスやタンクカバーの形状、大きさは特に限定されるものではない。
【図面の簡単な説明】
【００５６】
【図１】実施の形態に係る便器上面設備を備えた洋風便器の側面図である。（ａ）図はフロントベースプレートの浮上前、（ｂ）図はフロントベースプレートの浮上後の状態を示している。
【図２】便器上面設備の分解斜視図である。
【図３】昇降装置付近の斜視図である。
【図４】リヤベースプレートの平面図である。
【図５】リヤベースプレートの底面図である。
【符号の説明】
【００５７】
１  洋風便器
１ａ  便鉢
１ｂ  開放口
１ｃ  ボルト挿通孔
１ｅ  平面部
２  便座
３  便蓋
４  取付部材
４ａ  係止片
１０  便座ボックス
２０  リヤベースプレート
２１  補強材
２３  開口
３０  昇降装置
３１  固定プレート
３２  駆動装置
３３  可動プレート
３４  ダンパ
４０  フロントベースプレート
５０  カバーケース
【図１】
0005125765.tif 000002
【図２】
0005125765.tif 000003
【図３】
0005125765.tif 000004
【図４】
0005125765.tif 000005
【図５】
0005125765.tif 000006